Podtech/llm-jp-corpus-v4-ja_patent huggingface dataset:
(57)【要約】【課題】タバコのヤニが付着した塗装された壁面および天井面を、ほぼ原状に近い程度にまでタバコのヤニを落とす洗浄方法を提供する。【解決手段】洗浄剤として、次亜塩素酸ナトリウムに無機アルカリとメチルアルコール、エチルアルコール、ブチルアルコール、プロピルアルコールの中から選択されるアルコール類、および水を加えることで、ｐＨが１０〜１２、有効塩素の濃度が１〜６重量％になるように調整した洗浄液を用いる。【選択図】なし【特許請求の範囲】
【請求項１】
次亜塩素酸ナトリウムに無機アルカリとメチルアルコール、エチルアルコール、ブチルアルコール、プロピルアルコールの中から選択されるアルコール類、および水を加えることで、ｐＨが１０〜１２、有効塩素の濃度が１〜６重量％になるように調整した洗浄剤を用いることを特徴とする、塗装された壁面および天井面に付着したタバコのヤニの除去を目的とした洗浄方法。
【請求項２】
請求項１において、アルコール類の濃度が洗浄剤の全重量に対して、３〜３０重量％の範囲に調整した洗浄剤であることを特徴とする洗浄方法。
【発明の詳細な説明】
【技術分野】
【０００１】
本発明は、室内の塗装された壁や天井が主にタバコのヤニによって汚染された場合、原状回復するに際しての効果的な洗浄方法に関するものである。
【背景技術】
【０００２】
タバコのヤニ汚れを取るためには、界面活性剤を主成分とした洗浄剤を用い、ブラシ、布巾などの洗浄道具で洗浄作業を行うのが一般的である。しかしながら、表面塗装された壁面や天井面においては、タバコのヤニが塗膜内部まで浸透することが多く、十分除去するに至らない場合がほとんどである。さらに、除去性を高めるために洗浄剤の検討も数々なされている。
【先行技術文献】
【特許文献】
【０００３】
【特許文献１】特開2003-013098
【特許文献２】特開平07-179896
【特許文献３】特開2001-239223
【発明の概要】
【発明が解決しようとする課題】
【０００４】
室内の壁や天井の塗装として、酢酸ビニル系やアクリル系の水性エマルジョンタイプの塗料が特に事務所を中心に用いられている。当該塗装はコストパーフォーマンスが良好であり、手垢や埃等の汚れは、一般的な洗浄剤による洗浄で簡単に落とすことができるので広く適応されている。
【０００５】
しかしながら、タバコのヤニについては塗膜内部まで浸透することから、完全除去するのは非常に困難であり、汚染が進行するとその除去は不可能である。そのため、タバコのヤニ汚染が進行した場合は、塗り直すことが必要となる。タバコのヤニの除去性に優れた洗浄剤も開発されているものの、このような塗装面に関しては満足できるレベルではない。
【０００６】
本発明は、タバコのヤニ汚染が進行した室内の壁、天井の塗装面の汚れを、ほとんど原状に近い程度にまで汚れ落としを可能とする洗浄方法を提供することを課題とする。
【課題を解決するための手段】
【０００７】
タバコのヤニ汚染が進行した室内の壁、天井の塗装面の汚れに対して、各種市販の洗剤および薬剤を使用し、その効果を把握した。その結果、通常の界面活性剤を中心とする洗浄剤よりも、過炭酸ナトリウム、過酸化水素水、もしくは次亜塩素酸ナトリウムのような酸化作用を有する漂白剤が効果的であり、中でも、次亜塩素酸ナトリウムの効果が最も高かった。しかし、次亜塩素酸ナトリウムで洗浄した場合、ムラが発生することから満足のいくものではなかった。
【０００８】
さらに検討を進めた結果、次亜塩素酸ナトリウムに無機アルカリ、およびメチルアルコール、エチルアルコール、ブチルアルコール、プロピルアルコールの中から選択されるアルコール類を添加することでムラの発生がなくなることを発見した。これは、濡れ性の改善と、ヤニに対する溶解力向上が要因だと推定される。
【０００９】
さらに、濃度の最適化実験によって、次亜塩素酸ナトリウムに無機アルカリとアルコール類、および水を加えることで、ｐＨが１０〜１２、有効塩素の濃度が１〜６重量％になるように調整した洗浄剤が最適であった。アルコール類の濃度については特に規定されるものではないが、全重量に対して、３〜３０重量％の添加が良好であった。
【発明の効果】
【００１０】
当該洗浄剤を用いることで、塗装された室内の壁面および天井面に付着したタバコのヤニが原状に近い程度まで除去できた。
【発明を実施するための形態】
【００１１】
ここで無機アルカリは、水酸化ナトリウム、水酸化カリウム、炭酸ナトリウム、炭酸水素ナトリウム、リン酸ナトリウム、リン酸カリウム、炭酸カリウム、メタケイ酸ナトリウム及びメタケイ酸カリウムから選択されるアルカリ性化合物をいう。
【００１２】
作業方法としては、当該洗浄剤をスプレー、モップ、スポンジ、布等で対象面に塗布した後、酸化反応時間として５秒から６０秒程度放置し、洗浄液を拭き取る。汚れの程度に応じて、この作業を繰り返す。
【実施例】
【００１３】
一般的に市販されている有効塩素の濃度が１２重量％の次亜塩素酸ナトリウムに、水酸化ナトリウム、および水道水とエチルアルコールの２：１混合液を加え、ｐＨが１１、有効塩素の濃度が３重量％になるように調整した洗浄剤を準備。この洗浄剤を、喫煙ルームとして使用し、かなりタバコのヤニが付着している塗装壁面にスプレーで塗布した。３０秒後、乾いた布で塗布液を拭き取ったところ、ほぼ原状に近い程度までタバコのヤニを除去することができた。
(57)【要約】【課題】体外離脱応用不老不死製法の薬のケタミン服用応用で不老不死を完璧にする。【解決手段】ヘミシンク技術か右脳右角状回電極刺激か右脳聴覚野付近電極刺激かビデオカメラ方式か薬のケタミン服用で体外離脱した意識エネルギーをヒトｉＰＳ肉体に赤外線感知器で誘導動固定入れ不老不死にする。【選択図】なし【特許請求の範囲】
【請求項１】
（イ）ヘミシンク技術か右脳右角状回電極刺激か右脳聴覚野付近電極刺激か特殊なヘッドセットでビデオカメラ背中２台、左目に左側のカメラ映像を右目に右側のカメラ、胸をなでると同時に肉体から体外離脱すぐ出来、別の実験では別の場所に体外離脱でき意識エネルギーを上記後者２つはすぐ体外離脱できる。また薬のケタミンを服用すれば確実に体外離脱できる。
（ロ）ヒトｉＰＳ技術で臓器や神経など全身を作り自分の若い頃に似せて外側を作り若返りさせる。
（ハ）そのヒトｉＰＳ肉体に意識エネルギーは赤外線で感知できるので赤外線感知器でそのヒトｉＰＳ肉体に誘導して固定しすべて人間と同じ事ができこの新型万能細胞で自分の皮膚細胞で若返り不老不死を実現する。レトロウイルス培養とガン遺伝子には紫外線Ｂ波かビタミンＤでガンになるのを防ぐ
以上の如く特徴を持つヒトｉＰＳ若返り肉体方式薬のケタミン服用体外離脱応用不老不死製法。
【発明の詳細な説明】
【技術分野】
【０００１】本発明は、ヒトｉＰＳ若返り肉体方式薬のケタミン服用体外離脱応用不老不死製法に関する。
【背景技術】
【０００２】  従来、ヒトｉＰＳ若返り肉体方式薬のケタミン服用体外離脱応用不老不死製法に関する技術はなかった。【０００３】
【非特許文献１】「日経サイエンス」２００８年１月号、２０頁から２１頁、６８頁から７６頁
【非特許文献２】「毎日新聞」２００７年１１月２１日、１頁と３頁。
【非特許文献３】「別冊日経サイエンス知覚は幻」２０１０年１０月１５日、１１４頁−１１７頁
【非特許文献４】「ｉＰＳ細胞が再生医療の扉を開く」２００９年１０月１３日、１９７頁から２０２頁
【発明の開示】
【発明が解決しようとする課題】
【０００４】  従来、ヒトｉＰＳ若返り肉体方式薬のケタミン服用体外離脱応用不老不死製法に関する技術はなかったので最新技術よって実現させる。
【課題を解決するための手段】
【０００５】  ヘミシンク技術か右脳右角状回電極刺激や右脳聴覚野付近電極刺激やビデオカメラ方式や薬のケタミン服用で体外離脱した意識エネルギーをヒトｉＰＳ若返り肉体に赤外線感知器で入れ固定することで肉体人間同様の行動はすべてできるものとする。
【発明の効果】
【０００６】  薬のケタミン服用で確実に体外離脱できｉＰＳ不老不死の肉体が可能になる。
【発明を実施するための最良の形態】
【０００７】    以下、本発明の実施例について時系列的論理的に文章で説明する。先ず、ヘミシンク技術か右脳右角状回電極刺激か右脳聴覚野付近電極刺激か特殊なヘッドセットでビデオカメラ背中２台、左目に左側のカメラ映像を右目に右側のカメラ、胸をなでると同時に肉体から体外離脱すぐでき、別の実験では別の場所に体外離脱でき意識エネルギーを上記２つはすぐ体外離脱できる。また薬のケタミン服用で確実に体外離脱できる。ヒトｉＰＳ技術で臓器や神経など全身を作り自分の若い頃に似せてサイボーグの外側を作り若返りさせる。そのヒトｉＰＳ肉体に意識エネルギーは赤外線で感知できるので赤外線感知器でそのヒトｉＰＳ肉体に誘導して固定しすべて人間と同じ事ができこの新型万能細胞で自分の皮膚細胞で若返り不老不死を実現する。レトロウイルス培養とガン遺伝子には紫外線Ｂ波かビタミンＤでガンになるのを防ぐ。
以上の如く特徴を持つヒトｉＰＳ若返り肉体方式薬のケタミン服用体外離脱応用不老不死製法。
【実施例】
【０００８】    上記の如く実施される。
【産業上の利用可能性】
【０００９】    ヒトｉＰＳ肉体利用と薬のケタミン服用体外離脱応用の赤外線感知器による体外離脱応用技術も進歩を遂げ高齢化が進む中この需要の産業上の利用可能性は高いと解される。
(57)【要約】      （修正有）【課題】暴漢等の活動の自由を奪い逮捕するため、先端部に開閉機構を備えたさすまたを提供する。【解決手段】さすまた本体の両先端部の左右から中心に向かってパイプを取り付け、中心が５ｃｍ空くようにする。本体とパイプの付け根５ｃｍのところに蝶つがいとバネを取り付け、暴漢をさすまた先端の仕掛けに囲い込むようにして自由を奪う。完全に身体を囲い込んでしまうので、身動きが出来なくなり、取り押さえておくことが容易になる。【選択図】図１
2011237045.tif 000002
【特許請求の範囲】
【請求項１】
犯人をロックして身動きを取れないようにする、さすまた先端部の仕組み
【発明の詳細な説明】
【技術分野】
【０００１】従来のさすまた本体の両先端部の左右から中心に向かってパイプを取り付け、中心が５ｃｍ空くようにします。本体とパイプの付け根５ｃｍのところに蝶つがいとバネを取り付けます。
【背景技術】
【０００２】本体に取り付けた、横パイプが内側に開いたり閉じたりします。これによって犯人は逃げる事ができません。
【発明の概要】
【発明が解決しようとする課題】
【０００３】開閉式さすまたを暴漢にむけて、足の所に押し込みます。すると、内側に横棒が移動して、足が入った瞬間にもとの位置にもどり、身動きができないようになります。
【課題を解決するための手段】
【０００４】足の自由を奪うことによってすぐに取り押さえることができます。
【背景技術】
【０００５】現在のさすまたではただ押さえつけるだけなので、何人もの人手が必要とされます。
それでも押さえつけるだけなので犯人を取り押さえることが困難でした．
【発明の効果】
【０００６】ひとりでも、足の自由がきかなくなり、取り押さえる事が可能になります。
【図面の簡単な説明】
【０００７】
【図１】が閉じる前の状態および暴漢を囲い込んでロックした状態、
【図２】が暴漢にさすまたおしつけて、パイプが内側に入った状態、
【図３】は横パイプ、
【図４】はちょうつがい、
【図５】はバネ、
【図６】はさすまた本体、
【図１】
2011237045.tif 000003
【図２】
2011237045.tif 000004
【図３】
2011237045.tif 000005
【図４】
2011237045.tif 000006
【図５】
2011237045.tif 000007
【図６】
2011237045.tif 000008
(57)【要約】【課題】円柱用取付バンドであって小嵩軽量にして多種の円柱に対応して強固な取付がなされ、且つ制作にも量産可能な新規な取付バンドの提供することにある。【解決手段】適宜厚の剛性平板より切り出した弧状片の２個を上下に並べ、その両片端部にアングルピースにて上下幅を持たせて固定してユニットとし、該ユニットの２個を一組として上記アングルピースを介して円柱に捲回して取り付けるべく構成してその手段とするものである。【選択図】図１
2011237023.tif 000002
【特許請求の範囲】
【請求項１】
円柱の外周を捲回する如くして取り付けられる取付バンドであり、近似三日月形状の弧状片を適宜厚の剛性材にて成形し、該弧状片の２個を上下に並べ、その両片端部をスペイサーを兼ね且つ接続用ボルト孔を穿設したアングルピースにて固定し、これを１個のユニットとなして、該ユニットの２個を一組にして前記円柱の外周に上記弧状片の内径側を線接触させて、対向するアングルピースによりボルトナットにて緊締して取付設置すると共に、該弧状片の外径側に向かう幅スペイスを利用して器材を付加することにより、当該円柱に所定の機能を追加すべく構成された円柱用取付バンド。
【発明の詳細な説明】
【技術分野】
【０００１】この発明は、円柱の外周を捲回する如くして取り付けられる取付バンドの改良に関し、制作過程を合理化して量産し得るように、また、拠所体となる円柱に強固な取付がなされるようになした取付バンドの提案に係る。
【背景技術】
【０００２】円柱は、建築・建設界その他にあって屋内外に設置され、材質についても金属柱、コンクリート柱、木柱、その他の柱体があり、更に外径を異にし目的に応じて多方面に採用され、且つこれを拠所体として種々の器材を付加して所定の機能を多角的に創出されており、これの付加に介在する円柱用取付バンドも上記目的に対応すべく求められている。【０００３】上記に供される取付バンドは、従来から図２に示す如き構成されるものが一般的に用いられており、やや厚めの帯状鋼材を加工して円柱や付加すべき器材に対応して制作されるが、望み通りの曲げ加工等に治具の用意や加工機の調整に手間を要し、多品種量産に不向きであり、更に、円柱への装着に際し円柱の外周との接触は「面接触」であり、強固な取付にはバンド端部の接続部材を頑丈なものにし、帯状鋼材自体も厚めにして重量のあるものを用いねばならない。  また、装着すべき柱体がテーパー柱（上方に向かって柱体の直径が減ずるもの）である時は、バンド幅の広いものは特にバンド上方部にはテーパー柱の外周との間に僅かではあるが間隙が生じ好ましくない。
【発明の開示】
【発明が解決しようとする課題】
【０００４】本発明は、円柱用取付バンドであって多種の円柱に対応して該円柱の機能を向上すべく強固な取付がなされ、且つ制作にも合理的に量産可能なものとなすべく発明の課題としたものである。
【課題を解決するための手段】
【０００５】本発明は、近似三日月形状の弧状片を適宜厚の剛性材から、レーザー加工機の如き平面材料から自動的にシェアリングしながら溶断可能な加工機により、取り付けるべき円柱の外径に対応した形状に切り出し、これの２個を上下に並べ、その両片端部をスペイサーを兼ね且つ接続用ボルト孔を穿設したアングルピースにて溶接またはその他の手段にて固定し１個のユニットとなし、該ユニットの２個を一組にして取り付けるべき円柱の外周に上記ユニットの内径側を線接触させて、対向するアングルピースによりボルトナットにて緊締して取付設置すべくし、解決するための手段としたものである。
【発明の効果】
【０００６】本発明は、従来から用いられてきた円柱用取付バンドがやや厚めの帯状鋼材から加工されるものに比して、適宜厚の剛性材から切り出して制作されるから、装着すべき円柱の外径に正確に対応する内径を持つ弧状片が得られ、剛性材も円柱に設置する器材を加味した強度の軽、重量の材料を選択しての採用が可能であり、また、装着にあって従来の取付バンドが円柱に面接触であるのに比し、本発明は上下の２個の弧状片が二条の線接触状態で食い込む如く装着されるから、各種円柱への強固な設置が可能である。
【発明を実施するための最良の形態】
【０００７】本発明の実施例について、図面と共に説明する。  図１は、本発明の取付バンド１の構成を示す斜視図であり、適宜厚の平面板状の剛性材より自動制御可能なレーザー加工機により弧状片２を切り出し、これの２個を上下に並べその両片端部を接続用ボルト孔３´を穿設したアングルピース３にて溶接し固定して１個のユニットとなし、該ユニットの２個を一組にして取り付けるべき円柱を抱持する如く捲回し、アングルピース３のボルト孔３´にボルト４を挿通しナット４´にて緊締して取付設置をなすものである。【０００８】この場合、取り付けるべき円柱の外径対応した数値での“Ｒ”が弧状片２の内径側に形成して切り出せる。  なお、弧状片２の外径側に向かう幅スペイス上に予備孔２´が設けられ、当該円柱への器材の付加に利用される後述の支持部材７の取付に供する。【０００９】図２は、従来から一般的に用いられている取付バンド１１の構成を示す斜視図であり、やや厚めの帯状鋼材を加工してバンド部分１２を取り付けるべき円柱の外周に対応した“Ｒ”を治具を用いて形成し、これの２個を用いて接続部材１３によりボルト１４、ナット１４´に緊締され上記円柱に装着されてきた。【００１０】図３は、本発明の取付バンド１を用いて円柱６に付加機能として昇柱防止装置５を装置した利用例を示す斜視図であり、円柱６に本発明の取付バンド１を設置し、支持部材７を介して上記昇柱防止装置５の昇柱阻止枠８を取り付けた状態を図示するものである。  円柱の一種に電柱や送電鉄塔（多くは鋼管柱である）があり、関係者以外の昇塔柱を防止する目的で柱体の昇塔柱通路（ステップボルト等が上方に向かい設置されている）の適宜位置に昇柱防止装置が設けられる。実施例では傘骨状の阻止ロッドを周回して枠体を形成し、関係者の昇塔柱に際しては上記通路上の一部が開く構造（通常は施錠してある）のものを開示した。【００１１】なお、本発明において剛性材の材質等設計に応じての変更はなし得るものである。
【図面の簡単な説明】
【００１２】
【図１】本発明の円柱用取付バンドの構成を示す斜視図。
【図２】従来から用いられている取付バンドの構成を示す斜視図。
【図３】本発明の円柱用取付バンドの利用例を示す斜視図。
【符号の説明】
【００１３】１，１１      取付バンド
２      弧状片
３      アングルピース
４・４´，１４・１４´      ボルト・ナット
５      昇柱防止装置
６      円柱
７      支持部材
８      昇柱阻止枠
１２    バンド部分
１３    接続部材
【図１】
2011237023.tif 000003
【図２】
2011237023.tif 000004
【図３】
2011237023.tif 000005
(57)【要約】      （修正有）【課題】移動させる物体の側面に薄い板バネを置き、その板バネを撓ませることで物体を移動させることができる装置を提供する。【解決手段】ゴムタイヤ４が電子開閉器５を押し続け、通電状態にすると、モーター３が時計方向へ回転して板バネ８をプラス方向に押すことにより、上方向に撓んで、ボール１を上昇させて外部へ押し出す。次にスイッチをＯＦＦにすると、バネ９の力でマイナス方向に板バネ８が引かれるため、撓みが取れてボール１が下降状態に戻る。ボール収納箱が傾斜しているため、次のボール１に同じ操作を繰り返して、ボール１を外に押し出すことができる。【選択図】図１
2011237025.tif 000002
【特許請求の範囲】
【請求項１】
板バネの撓みの変化を動力伝達方法とした。
【発明の詳細な説明】
【技術分野】
【０００１】この発明は、機械の動力伝達方法に関する。
【背景技術】
【０００２】従来のものは、モーターなどを動力源とした場合、モーターの先にギアやカムのようなものを取り付けて移動させるため、被移動物体と動力部の両方の回転空間が必要となり、スペースの無駄が起きて装置が必然的に大きくなってしまう。
【発明の概要】
【発明が解決しようとする課題】
【０００５】当発明は、移動させる物の側面に薄い板バネを設置するだけで目的が達成できることを課題とする。
【課題を解決するための手段】
【０００６】以上の課題を解決するために、第一発明は、移動させる物体の側面に薄い板バネを置き、その板バネを撓ませることで物体を移動させることができる。
また、第二発明は、板バネの撓みの大きさをコントロールすることで、物体の移動距離を自由に調整することができる。
【発明の効果】
【０００７】第一発明、または第二発明によれば、装置の機構が簡単なため壊れにくく、装置の製作費用も少なくて済むため、経済効果が期待できる。
【図面の簡単な説明】
【０００８】
【図１】この発明の一実施形態を示す上面図である。
【図２】図１の正面断面図
【図３】図１の左側面図
【図４】図２の正面断面図  駆動時の図
【発明を実施するための形態】
【０００９】この発明の一実施形態を、図１に示す。
例として、ゴルフボールの自動配給装置に利用できる。
動作原理は、図２のＡで図１の上面図の４のゴムタイヤが電子開閉器５を押し続け、通電状態にすると、モーター３が時計方向へ回転して９の板バネをプラス方向に押すことにより、図２の断面図のように上方向に撓んで、１のボールを上昇させて外部へ押し出す。  次にスイッチをＯＦＦにすると、バネ１０の力でマイナス方向に板バネが引かれるため、撓みが取れて図２断面図Ａに戻る。図１の左側面図のように、ボール収納箱が傾斜しているため図２断面図Ａのように戻り、同じ操作を繰り返して、ボールを外に押し出すことができる。
【００１０】「実施形態の効果」
従来はゴルフ練習場など現場の地面を２００〜３００ｍｍほど掘ってゴルフボールの自動配給装置を設置していたが、この形態によれば、わずか４７ｍｍ（ゴルフボールの径４２ｍｍ＋予備空間高さ５ｍｍ）の深さがあれば装置を設置することができる。価格面でも従来の配給装置と比べ約１０分の一ほどで済むため経費削減も期待できる。
「他の実施形態」
他の実施形態では、深いところや曲がりくねった所にある物体を上昇させたり移動させる場合にも応用できる。
【符号の説明】
【００１１】図１    １    ゴルフボール
２    ゴルフボール収納ケース
３    モーター
４    ゴムタイヤ
５    スイッチ
６    電池
７    コントローラー
８    板バネ
９    コイルバネ
１０  ボールガイド
【図１】
2011237025.tif 000003
【図２】
2011237025.tif 000004
【図３】
2011237025.tif 000005
【図４】
2011237025.tif 000006
(57)【要約】      （修正有）【課題】初心者ユーザでも容易にコンピューターに保存したファイルの中から必要なファイル群を保存場所を意識すること無く抽出し指定の場所にファイルのバックアップ保存を行う手段を提供する。【解決手段】必要なファイル属性の拡張子を設定して、或いは設定したものを外部記録媒体に実装し、コンピューターの記録媒体の中から該当属性を持つファイルを検出したファイルをバックアップ保存するまでを一連の動作として行う。【選択図】図１
2011237951.tif 000002
【特許請求の範囲】
【請求項１】
コンピューターに保存されているファイルの属性により該当ファイルを検出して検出したファイルを指定の場所に保存する一連の動作を外部記録媒体に実装しファイルのバックアップを行う方法。
【発明の詳細な説明】
【技術分野】
【０００１】
本発明は、ファイルの属性によりファイルを判別収集し保存する、ファイルバックアップに関するものである。
【背景技術】
【０００２】
近年のコンピュータ関連技術の進歩に伴い、画像ファイル、動画ファイル、音楽ファイル、テキストファイル、特定のアプリケーションソフトのファイルなど記録媒体に保存されるファイルの種類は益々増えてきている。ストレージ容量の増加に伴い保存されるファイルの量は膨大になり、OSやアプリケーションソフト独自の管理のために生成されるフォルダ構成も複雑化してきている。
【０００３】
このような状況の中で万一の記録媒体の故障、アプリケーショントラブルによるデータの破損などからデータファイルをバックアップし保全する必要性の喚起とバックアップ方法への需要が高まっている。
【０００４】
従来のファイルのバックアップ方法としては、CD、DVDへのライティングソフトによるものでバックアップするファイル又はフォルダを指定してバックアップを行うもの。OSのフォルダ階層表示からファイル又はフォルダを複製あるいは移動させる事によってバックアップを行う方法が用いられている。
【先行技術文献】
【非特許文献】
【０００５】
技術評論社刊、唯野 司著「パソコンの調子をとりもどすリカバリー&バックアップのここがわからなかった」
【発明の概要】
【発明が解決しようとする課題】
【０００６】
ユーザは蓄積したファイルの中から特定のファイルを集めようとしても、どのファイルをどのフォルダ構造のどのフォルダに保存しているかを記憶しつづける事は難しい。初心者ユーザにとっては、現在のバックアップ技術を駆使することも難しくバックアップするためのデータを収集することが困難である。初心者ユーザでも容易にファイルをバックアップ出来る方法を課題とする。
【課題を解決するための手段】
【０００７】
上記課題を解決するために、本発明ではファイルの属性を拡張子で判別し検出する。例えばデジタルカメラの画像なら殆どの場合ファイル拡張子はJPGになるのでそのファイルを検出し指定の場所に複製あるいは移動させる。同時に複数の拡張子を検出させるので上記例ではJPGやTIFF、RAWなどのデジタルカメラで使われる複数の画像ファイル属性を検出し保存する。動画ファイル、音楽ファイル、テキストファイル、特定のアプリケーションソフトのファイルなども同様にファイル属性を指定して検出しバックアップ保存するという一連の作業を行うプログラムを外部記録装置に実装する。
【０００８】
稼動させるだけで必要なファイルを検出保存してファイルのバックアップが完了するまでを自動的に行う。
【発明の効果】
【０００９】
本発明によってユーザはどこにファイルがあるかを意識せずに容易にバックアップが可能になる。
【図面の簡単な説明】
【００１０】
【図１】図１はUSBメモリに実装した場合の実施方法を示した説明図である。
【発明を実施するための形態】
【実施例】
【００１１】
USBメモリやフラッシュメモリ、ハードディスクなどのストレージにデジタルカメラ写真用としたプログラムを実装し、バックアップしたいファイルのあるパーソナルコンピューターに接続し稼動させると一連の動作で必要なファイルを検出しその記録装置にバックアップ保存する。
【００１２】
ビデオ動画用、音楽ファイル用、テキストファイル用、特定のアプリケーションファイル用など目的別に合わせて、それぞれの属性ファイルを集める用意をすることで用途に応じた利用が可能になる。
【図１】
2011237951.tif 000003
(57)【要約】【課題】タバコの喫煙時に、出る煙を吸い取る一人用救援器具を提供する。【解決手段】一人用の小型のタバコの煙を吸引する一人用煙分煙器具を提供する。【選択図】図１
2011237158.tif 000002
【特許請求の範囲】
【請求項１】
タバコのニコチンフィルターを内蔵したボックスに自在パイプを付けその先に吸い込み口をつけた一人用分煙器具。
【発明の詳細な説明】
【技術分野】
【０００１】本発明は、タバコをすう時に出る煙を吸い取る一人用分煙器具に関するものである。
【背景技術】
【０００２】従来、一人用分煙器具は無かった、大型の分煙器具しかなかった
【発明の開示】
【発明が解決しようとする課題】
【０００３】そのために、次のような問題点があった。
（イ）分煙器具が大型のため効率が悪かった
本発明は以上の問題点を解決しようとするものである。
【課題を解決するための手段】
【０００４】小型のニコチンフィルターボックスに自在パイプを付けその先にけむり収集カップを設けた、一人用分煙器具である。
【発明の効果】
【０００５】本発明は、効率よく煙を吸い取るために大型機の様な無駄がない。
【発明を実施するための最良の形態】
【０００６】以下、本発明の実施の形態を説明する。
（イ）吸い込み口（１）から自在パイプ（２）を経て小型のニコチンボックス（６）に吸い込み煙を消す
本発明は、以上の構成よりなっている。
本発明を使用とする時は、タバコを吐くときは口を吸い込み口（１）に向けて吐き、又指で持つ時もすい込み口（１）の近くに持ち小型のニコチンボックス（６）に吸い込ませる。
【図面の簡単な説明】
【０００７】
【図１】本発明の斜視図
【符号の説明】
【０００８】１    吸込み口
２    自在パイプ
３    タバコ置き
４    スイッチ
５    モーター
６    ニコチンフィルターボックス
７    排気口
【図１】
2011237158.tif 000003
(57)【要約】【課題】  従来は、電機のクーラーで冷房すると、室外機は扇風機で熱を放出し、付近へ熱をまき散らすだけで、熱の利用を考えなかった。【解決手段】  本発明は、室外機の熱、放出装置（１）から銅の水管（３）に熱を吸収する為、銅のガス管（２）に銅の水管（３）を並列にし、はんだ接合をする、そのはんだ接合をした銅のガス管（２）に銅の薄板、放熱板（４）を何枚も取り付ける、又、電機のクーラーのコンプレッサーが作動している時、銅のガス管（２）に熱いガスが回る、銅のガス管（２）と銅の水管（３）は、はんだ接合をしている為、銅のガス管（２）の熱が、水の入った、銅の水管（３）に伝導し、水を温め、湯を沸かすものである。【選択図】図４
2011237159.tif 000002
【特許請求の範囲】
【請求項１】
電気クーラーの室外機の中にある、熱、放出装置の銅のガス管に、銅の水管を並列にし、はんだ接合をする、そのはんだ接合をした銅のガス管に銅の薄板、放熱板を何枚も取り付ける、ところの電気クーラーの熱、放出装置を利用する湯沸し器。
【請求項２】
電機のクーラーのコンプレッサーが作動している時、銅のガス管にガスが回る、銅のガス管と銅の水管は、はんだ接合をしている、銅のガス管の熱が、水の入った、銅の水管に伝導し、水を温める、一定の温度になると、温度センサー付きのバルブＢが開くと同時にポンプは回り、保温貯蔵タンクにはいる、又、湯を送り出すと同時に一方から水が入る、温度が下がると温度センサー付きのバルブＢが閉じ、ポンプも止まる、又、保温貯蔵タンクにはいった湯が、低温になった場合は水道の温度センサー付きのバルブＣを閉じ、保温貯蔵タンクから放出装置までの間に温度センサー付きのバルブＤを付けてある、その温度センサー付きのバルブＤを開くと保温貯蔵タンクの水は、電気クーラーの室外機の放出装置へもどる、又、保温貯蔵タンクが高い温度の湯で一杯になった場合は湯が回らなくなり、電気クーラーの室外機の放出装置の銅の薄板から熱を放出する、また保温貯蔵タンクの湯を使う場合は、バイプを引き、止水栓を開け、閉め、するところの電気クーラーの熱、放出装置を利用する湯沸し器。
【発明の詳細な説明】
【技術分野】
【０００１】  本発明は、電気クーラーを使用中、室外機にある、熱放出装置の熱を利用した、湯沸し器に関する。
【背景技術】
【０００２】  従来の電気クーラーの室外機は熱を大気へ放出するだけだった。
【発明の開示】
【発明が解決しようとする課題】
【０００３】  室外機は送風機で大気中に熱を出し、大気中の温度が上がった。【０００４】  本発明は、この熱を利用して湯を沸かすのを目的とするものである。
【課題を解決するための手段】
【０００５】  電気クーラーの室外機に入る、銅のガス管（２）と熱、放出装置（１）の銅のガス管（２）はフランジ（１３）で接続している、また、熱、放出装置（１）から出る、銅のガス管（２）とコンプレッサーに戻る、銅のガス管（２）はフランジ（１３）で接続している、又、水が入る水管と熱、放出装置（１）の銅の水管（３）はフランジで接続している、また、熱、放出装置（１）から出る、銅の水管（３）と湯が出る耐熱パイプ（１２）はフランジで（１３）接続している、電気クーラーの室外機の中にある、熱、放出装置（１）の銅のガス管（２）に、銅の水管（３）を並列にし、はんだ接合をする、そのはんだ接合をした銅のガス管（２）と銅の水管（３）に銅の薄板、放熱板（４）を何枚も取り付ける、又、電機のクーラーのコンプレッサーが作動している時、銅のガス管（２）に熱いガスが回る、銅のガス管（２）と銅の水管（３）は、はんだ接合をしているから、銅のガス管（２）の熱いガスが、水の入った、銅の水管（３）に熱伝導し、水を温める、一定の温度になると、温度センサー付きのバルブＢ（５）が開くと同時にポンプ（６）は回り、保温貯蔵タンク（７）にはいる、保温貯蔵タンク（７）にはいると同時に一方から水が入る、温度が下がると温度センサー付きのバルブＢ（５）が閉じ、ポンプ（６）も止まる、又、保温貯蔵タンク（７）にはいった湯が、低温になった場合は水道の温度センサー付きのバルブＣ（８）を閉じ、保温貯蔵タンク（７）から放出装置（１）までの間に温度センサー付きのバルブＤ（９）を付けてある、その温度センサーは保温貯蔵タンク（７）の中に付けてあり、温度センサーと温度センサー付きのバルブＤ（９）は連結している、その温度センサー付きのバルブＤ（９）を開くと保温貯蔵タンク（７）の水は、電気クーラーの室外機の放出装置（１）へもどる、又、保温貯蔵タンク（７）が高い温度の湯で一杯になったとき、ポールタップ（１０）が働き、湯が止まる、又、熱交換する間、送風しなくてもよく、水管の水の温度が、一定の温度になると、センサー感知で送風機が回り、電気クーラーの室外機の放出装置（１）の銅の薄板、放熱板４）から熱を放出する、また保温貯蔵タンク（７）の湯を使う場合は、耐熱バイプをひき、止水栓（１１）を開け、閉め、する手段を講じたものである。
【発明の効果】
【０００６】  本発明は、電機のクーラーで部屋を冷やしている間に、熱、放出装置の熱を利用し、エネルギーを使わずに湯が沸き、風呂、シャワー、色々と湯を利用できる。
【発明の実施するための最良の形態】
【０００７】  電機のクーラーのコンプレッサーが作動している時、銅のガス管に熱いガスが回ってくる、熱い銅のガス管と銅の水管は、はんだ接合をしているから、熱い銅のガス管の熱が、水の入った、銅の水管に伝導し、水を温める、その伝導する間、送風しなくても良く、水が一定の高い温度になれば温度センサー付きのバルブＢが開くと同時にポンプは回り湯を送り出し、保温貯蔵タンクにはいる、又、湯を送り出すと同時に水が入る、温度が下がると温度センサー付きのバルブＢが閉じ、ポンプも止まる、又、保温貯蔵タンクにはいった湯が、低温になった場合は水道の温度センサー付きのバルブＣを閉じ、保温貯蔵タンクから放出装置までの間に温度センサー付きのバルブＤを付けてあるから、その温度センサー付きのバルブＤを開くと保温貯蔵タンクの水は、電気クーラーの室外機の放出装置へもどる、又、保温貯蔵タンクが一定の高い温度の湯で一杯になった場合は湯が回らなくなり、電気クーラーの室外機の放出装置の銅の薄板から熱を放出する、また保温貯蔵タンクの湯を使う場合は保温貯蔵タンクから湯を使うところまでバイプを引き、止水栓を開け、閉めする。
【図面の簡単な説明】
【０００８】
【図１】  熱、放出装置のＡ−Ａ斜視図
【図２】  熱、放出装置の上から見た図
【図３】  熱、放出装置の横から見た図
【図４】  配管図
【符号の説明】
【０００９】  ［１］  熱、放出装置
［２］  銅のガス管
［３］  銅の水管
［４］  銅の薄板、放熱板
［５］  温度センサー付きのバルブＢ
［６］  ポンプ
［７］  保温貯蔵タンク
［８］  温度センサー付きのバルブＣ
［９］  温度センサー付きのバルブＤ
［１０］  ポールタップ
［１１］  止水栓
［１２］  耐熱パイプ
［１３］  フランジ
【図１】
2011237159.tif 000003
【図２】
2011237159.tif 000004
【図３】
2011237159.tif 000005
【図４】
2011237159.tif 000006
(57)【要約】      （修正有）【課題】従来の△パネルは、１枚の用紙に印刷を施し、△に成形したものであるが、広告を表面に印刷して卓上に置くだけのものが多い。これを改良して、多用途かつ健康と環境に良いものを提供する。【解決手段】２枚の用紙の上部をのりづけして∧形にし、２列の折筋に小の部分と大の部分との両側をクリップ６−１,６−２,７−１によって結合してポケット８−１,８−２とし、これにカードを挿入できるようにする。また１枚の用紙を光触媒紙とし、その光触媒面を外側にし、印刷を少く、白地面積を大きくし、これに太陽光が当れば、光触媒効果が十分発揮され、それによって周囲の空気を浄化するとともに環境を良くする。【選択図】図４
2011237746.tif 000002
【特許請求の範囲】
【請求項１】
２枚の長方形の厚手の用紙（普通紙及び光触媒紙）に、何れも折筋を２列施し、上部から区画大・中・小と３分割して、Ｌ状に折りたたみ、この２枚を内側同志を向合わせて重ね、最上端のやや下にのりを施して接着し、中区画を底面とし、小区画をそれぞれ相手の大区画の下端に重ねてその両端をのり又はクリップで結合し、２箇所のポケット状とし、中区画を底面として置いたとき、２つのポケットはそれぞれ外側及び内側に位置するようにし、外側のポケットは、観賞用や広告カード展示用ポケットとし、最上部ポケットは補助的とし、内側ポケットは予備カード収納用とし、また一方の用紙を光触媒紙とし、その光触媒面を外側に置いて印刷を少く白地の部分を大きくし、これに太陽光が多く当たるように窓の内側に配置すれば、その部分のすぐれた光触媒効果によってまわりの空気を浄化し、他方の用紙には多色印刷を施して、効果的な広告とすることを特徴とする三角パネル。
【発明の詳細な説明】
【技術分野】
【０００１】本発明は主として広告用三角（△）スタンド又はパネルに関するものである。
【背景技術】
【０００２】従来の紙製△パネルは、主に１枚の用紙に広告を印刷したものを△に成形して卓上スタンドとし、単に商品広告を目的とする単機能商品である。
【発明が解決しようとする課題】
【０００３】上記の従来品の欠点を改良して、多機能とし一般消費者にとっても便利で、かつ材料として普通紙だけでなく光触媒紙を利用して、しかも従来品に欠けている健康や環境に良いものをつくる。
【課題を解決しようとする手段】
【０００４】従来品と違って１枚でなく２枚の普通紙及び光蝕媒紙を利用して、片面を光触媒面として白地又は極めて僅かな印刷を施し、他方の紙面には多くの印刷を施して、この２枚を上部で接着し、下部には折り目を施して、ポケット状にしてこれにカードを挿入できるようにする。
【発明の効果】
【０００５】１、カード収納ポケットが上、内、外の３ヶ所に設けられているので、写真、レシート・・・をこれらに収納して観賞やファイルでき、便利である。
２、２枚の用紙から構成されているが、その内１枚を光触媒紙として、その部分に印刷を少く、白地面積を大きくして、そこに太陽光が良く当る場所に置けば、すぐれた光触媒効果によって周囲の空気を浄化できるので、健康と環境に良い効果がある。
【発明を実施するための最良の形態】
【実施例】
【０００６】図１、２、３、４、５
図１のように２枚の厚手の長方形の用紙１及び２を２列の折り筋３−１、３−２によって上から下へ大・中・小の３区画１−１、１−２、１−３及び２−１、２−２、２−３に分割し、図２のようにこれらをＬ型に折り曲げたもの同志を向合わせて組み合わせ、１−２及び２−２を底面として立てる。
次に図３のように、これらの内側同志を重ねて、１−２＋１−３の内側に於いて２−２と２−３を重合せ、その両端をクリップ６−１、６−２で結合し、ポケット７−１を外側に作る。同様にしてポケット７−２を内側につくる。また１と２の重合せた頂点のやや下にのり５を施してポケット７−３を設ける。
こうして仕上げられた△パネルの見取り図が図４である。
これら３ケのポケットには、利用者によって各種カードを挿入することができる。
また用紙１を光触媒紙とし、光触媒面１−１に印刷を少なく、白地面積を大きくし、図５のように１−１に太陽光が当たるようにすれば、光触媒効果によって、まわりの空気を効果的に浄化することができて、健康と環境に良く、多色印刷された２−１面は効果的な広告面とすることができる。
また、外ポケットには広告・観賞用カードを、内ポケットには予備カードを入れ、上部ポケットにもカードを挿入することができる。
【図面の簡単な説明】
【０００７】
【図１】：本発明に於ける基本用紙の形
【図２】：本発明に於ける基本用紙を折った形
【図３】：本発明に於ける折られた用紙を組合せた形
【図４】：本発明に於ける△パネル    の    見取図
【図５】：本発明に於ける光触媒型△パネルに太陽光が当たった図
【符号の説明】
【０００８】１、２                ：本発明による△パネルの基本用紙
１−１、１−２、１−３：本発明による△パネルの基本用紙１の分割された区画
２−１、２−２、２−３：本発明による△パネルの基本用紙２の分割された区画
３−１、３−２        ：本発明による△パネルの１に施された折り筋
４−１、４−２        ：本発明による△パネルの２に施された折り筋
５                    ：本発明による△パネルに施したのり
６−１、６−２        ：本発明による△パネルに施されたクリップ
７−１、７−２        ：本発明による△パネルに施されたクリップ
８−１                ：本発明による△パネルの内側ポケット
８−２                ：本発明による△パネルの外側ポケット
８−３                ：本発明による△パネルの上部ポケット
９                    ：本発明により完成された△パネル
１０                  ：本発明により完成された光触媒△パネル
１１                  ：太陽光
【図１】
2011237746.tif 000003
【図２】
2011237746.tif 000004
【図３】
2011237746.tif 000005
【図４】
2011237746.tif 000006
【図５】
2011237746.tif 000007
(57)【要約】【課題】従来の重量用バッグを軽量にするという考案がなされずに現在に至っていた。本発明は、各種重量バッグの重圧を、稍半減化し軽く持ち上げ、肩、背負い、持ち歩きに効果を得るようにしたものである。【解決手段】バッグ本体の中底、取っ手、肩掛けベルト部に減圧用のクッションを設け、また、バッグ本体の取っ手と肩あてには、層壁に薄手繊維ベルトを波状形成し、その中にスポンジを挟むように重層構成し、ツーウェイストレッチ生地袋の内部に納入する事により弾力性を維持でき、性能の高い重圧化するバッグを提供できる。【選択図】図２
2011125655.tif 000002
【特許請求の範囲】
【請求項１】
中底、取っ手、肩掛けベルト部に減圧用のクッションを設けたバッグ本体と、前記減圧取っ手と、ベルト肩あてには、層壁に薄手繊維ベルトを波状形成し、その中にスポンジを挟むように重層構成し、縦横伸縮自在の生地袋の内部に納入し、圧力を減圧化する弾力層を設けたことを特徴とする重量用バッグの減圧装置。
【発明の詳細な説明】
【技術分野】
【０００１】  本発明は、バッグ、手提げ鞄、リュックの重圧を減圧化するようにした重量用の減圧装置に関するものである。
【背景技術】
【０００２】  従来、中学生以上のスクールバッグ、手提げ鞄、リュック内に、重量４ｋｇより５ｋｇ以上の教科書、ノートが詰め込みされているが、何等減圧方策の術無く現在に至っているのが現状である。
【発明の開示】
【発明が解決しようとする課題】
【０００３】  そのために次のような問題点があった。
（イ）学生の場合、高校生になると手提げ鞄の取っ手を手に持つ姿が多く見られるが、手提げ鞄の重圧が原因で足にまつわり付き、歩行困難な容姿を窺い知ることが多く見られている。また、中学生の場合ベルトを肩に掛け、重量４ｋｇより５ｋｇ以上のバッグの重圧が肩にくい込むのが原因での鈍痛に耐えられず、リュックに切り替えたりして、バッグが重いために肩掛けに手を通すのに困難を窮めていた。
（ロ）また、通勤サラリーマン等の手提げ鞄の重量を３Ｋｇとした場合、駅の階段登降において、登る時には鞄の重圧が３倍の９Ｋｇ、下降の場合は６倍の１８Ｋｇとなり、身体への重圧負担になっていた。また、高齢者には筋肉の衰えにより、物量圧に悩まされているのである。
本発明は、以上の問題点を解決しようとするものである。
【課題を解決するための手段】
【０００４】  中底、取っ手、肩掛けベルト部に減圧用のクッションを設けたバッグ本体と、前記減圧取っ手と、ベルト肩あてには、層壁に薄手繊維ベルトを波状形成し、その中にスポンジを挟むように重層構成し、縦横伸縮自在の生地袋の内部に納入し、圧力を減圧化する弾力層を設けたことを特徴とする重量用バッグの減圧装置。
【発明の効果】
【０００５】  本発明は、４ｋｇ以上の重圧を対象とするものであり、また減圧を目的とするものである。したがって、減圧クッションを中底、取っ手、ベルトの肩掛け部に安易に取り付け可能であり、肩に掛けるにより半減近い減圧効果を発揮するにより、従来の重圧から解放できるバッグを提供できる。
【図面の簡単な説明】
【０００６】
【図１】本発明の工程を示す斜視図
【図２】同実施例の一部切欠き要部斜視図
【図３】同減圧バッグと従来バッグとの使用状態を示す一部切欠き説明図である。
【発明を実施するための形態】
【０００７】  以下、本発明の実施の形態を図１〜図３に基いて説明する。
図においては、繊維ベルト（１）の波状間隔（３）の中に弾力性スポンジ（２）を、順次締めつけながら重層（４）を形成し、ツーウェイストレッチ（６）の袋体に設け、クッション（５）に構成すると共に、取り付けベルト（８）を用い、それぞれの取っ手要部にファスナー（７）で装着されている。
以下、上記の動作を説明する。繊維ベルトの波状形に設ける弾力性スポンジを繊維ベルトで締めつけするように圧縮形成し、弾力性を補助するというツーウェイストレッチ生地（６）の袋体に設ける事により、弾力性を維持できる。また、取り付けベルト生地も同じくツーウェイストレッツチを用い、弾力性をカバーし、留め具にはファスナーのフック面ａ（７）が固着され、受け面（ｂ）の代替にツーウェイストレッチ生地面が利用され、受け面の効果を有するものである。
以上のように、本実施形態によれば図３に示す通り、地点よりスペースをとる事により弾力性を発揮し、圧力が減圧して荷の重さに対する軽量効果が得られるものである。
【符号の説明】
【０００８】１．波状繊維ベルト
２．弾力性スポンジ
３．間隔部
４．重層
５．クッション
６．ツーウェイストレッチ袋
７．面ファスナーａ
８．取り付けベルト
９．従来バッグ
１０．バッグ本体
１１．物体量（５ｋｇ）
【図１】
2011125655.tif 000003
【図２】
2011125655.tif 000004
【図３】
2011125655.tif 000005
(57)【要約】      （修正有）【課題】足下に雨だれがかからない傘の提供。【解決手段】形状を逆形状傘１にすることにより、雨水を傘の中心部に集め、パイプ柄中を通し、パイプ柄底部に設けたチューブ管２にて排出する。【選択図】図１
2011125660.tif 000002
【特許請求の範囲】
【請求項１】
多雨量の時でも足下にさえ雨だれ、雫がかからず、濡れない様に考案した雨傘
【発明の詳細な説明】
【技術分野】
【０００１】  本発明は降雨時傘をさした時、雨の雫が傘の骨や外周部からしたたり落ち、歩行の際、足を前後にして歩く為、足下や両肩が濡れてしまう、又、雨量の多い時はずぶ濡れになってしまう、そこで雨量の多い時でも濡れない様に工夫・考案された雨傘に関する
【背景技術】
【０００２】  傘は、日傘にしろ、雨傘にしろ、側面図で表せば、広角三角形、半球形の形状をしているのでどうしても骨部を中心とし、外周から雨の雫が肩や足下を濡らしてしまう。
【発明の開示】
【発明が解決しようとする課題】
【０００３】  最初は傘の径を大きくしてみた、すると両肩の濡れは少なくなったが、足下に関しては、前進の際の力学から雨だれが人体の方へ流れたり、傘が前後左右に揺れる為、十分な効果が得られない、そこで雨だれが傘の骨部を中心とする外周から落ちない様にする為にはどうしたらよいかを課題として研究を進めた。
【課題を解決するための手段】
【０００４】  そこで足下に雨の雫が落ちて来ないようにするにはどうすればよいか研究した結果、傘の形状を逆さにすれば雨の雫が傘の外周から落ちて来ない事になり、又、反半球形、反三角形の為、雨水が傘の中心部に集中するので傘の柄パイプの底部を中心に穴を開けてそこから水をパイプの下に流れる様にして取手の部分から変形チューブ管で体外に向く様工作すれば足下が濡れないし、突風が吹いても傘が逆さにならない、又、通常の形状の傘でも傘の回転による遠心力にて雨の雫を外側方向へ飛ばす事も一つの方法である、ただ、あまり強い回転力を与えると、雫がかなり遠方に飛んでいくので他の通行人に迷感をかけてしまうので９０度から１２０度程度の反復回転が望ましく、その回転がゆっくりでも３０ｃｍ〜４０ｃｍ外側に飛ぶので安全に、又、他人の迷惑にもならず好結果を得る事が出来る。
【発明の効果】
【０００５】  上記の方法にて雨量の多い時でも、雨天時において快適な傘差し歩行が出来る。【０００６】  逆形状の場合、骨部へ繋がるスプリングの構造をもう一段上がるようにして強風の時などに起きる逆形状を最初から作り出してしまうか、製作段階から逆形状にしてしまう、又、通常型の場合、傘の柄のパイプの上部をネジ形状にして取り外して傘の上部のパイプへ同様の方法で取り付け逆形状を作り出す、これだと強風でも傘が逆に開くことも無くなり逆形状を維持出来る、又、簡単に反復回転を生み出す為には手が疲れない様半自動化にする必要がある、取手の部分を加工、工作して中間部に空間を作り、取手空間部及びパイプ部のそれぞれに３ヶ所、４ヶ所に止め具を取り付け、それぞれに薄く径の小さい１０００ガウス程度のフェライト磁石の同極対峙を利用する事で手が疲れる事も無い、又、パイプへの底部を球状にして同様に取っ手底部も球状にして接点を点にする事で摩擦係数を減らしてスムーズな反復回転を生み出す事が出来る、又、磁石の代わりにコイルスプリング、三角板バネでも効果がある。【０００７】  これで軽く回転させたら雫が４０〜５０ｃｍ外へ飛ばす事が出き、又、勝手に反復回転してくれる。
【図面の簡単な説明】
【０００８】
【図１】  逆形状傘の外観図
【図２】  回転傘の取手の断面図
【図３】  回転傘の上部から見た取手の断面図
【符号の説明】
【０００９】  １．逆形状傘  ２．チューブ管  ３．磁石  ４．止め具  ５．パイプ柄  ６．取手  ７．丸鋼球
【図１】
2011125660.tif 000003
【図２】
2011125660.tif 000004
【図３】
2011125660.tif 000005